(57)【要約】 【課題】本発明は表面に文字や絵などが鮮明に且つ確実に描くことが可能となる西瓜に文字や絵などを描示する方法を提供することを目的とする。【解決手段】収穫予定日の７日〜２５日前（肥大停止時期）まで、西瓜１の一部或いは全体に遮光手段Ａを施して生育させ、その後、遮光手段Ａで形成した遮光部分２の表面に、文字や絵などが描示される描示用シート３を貼着し、遮光部分２を上にして収穫日まで日光を当て、描示用シート３以外の遮光部分２を緑化させて文字や絵などが描示される方法とする。また遮光手段Ａとしてオガクズ４を用い、オガクズ４が入れられた円筒状容器５には、凹み41を作り、摘果後、１株に１個の着果となった西瓜１を凹み41に入れ、西瓜１を横に寝かせ遮光して遮光部分２が形成されるようにするか、或いは遮光手段Ａとして黒色系の袋だけを用いて、西瓜１全体に遮光部分２を形成させるようにしても良い。【選択図】図１
2005176607.tif 000002
【特許請求の範囲】
【請求項１】
収穫予定日の７日〜２５日前（肥大停止時期）まで、西瓜（１）の一部或いは全体に遮光手段（Ａ）を施して生育させ、その後、該遮光手段（Ａ）によって形成された遮光部分（２）の表面に、文字や絵などが描示される描示用シート（３）を貼着し、前記遮光部分（２）を上にして収穫日まで日光を当て、前記描示用シート（３）以外の前記遮光部分（２）を緑化させて文字や絵などが描示されたことを特徴とする西瓜に文字や絵などを描示する方法。
【請求項２】
前記遮光手段（Ａ）がオガクズ（４）であり、該オガクズ（４）が入れられた円筒状容器（５）に凹み（41）を作り、摘果後、１株に１個の着果となった西瓜（１）を凹み（41）に入れ、前記西瓜（１）を横に寝かせ遮光して遮光部分（２）が形成された請求項１記載の西瓜に文字や絵などを描示する方法。
【請求項３】
前記遮光手段（Ａ）がオガクズ（４）であり、地面（８）を適宜に掘ってその内部にオガクズ（４）が入れられ、且つその中心に凹み（41）を作り、摘果後、１株に１個の着果となった西瓜（１）を凹み（41）に入れ、前記西瓜（１）を横に寝かせ遮光して遮光部分（２）が形成された請求項１記載の西瓜に文字や絵などを描示する方法。
【請求項４】
前記遮光手段（Ａ）が通気性を有した黒色系の袋（６）であり、該黒色系の袋（６）の内部に、摘果後、１株に１個の着果となった西瓜（１）を入れ、遮光部分（２）が西瓜（１）全体に形成された請求項１記載の西瓜に文字や絵などを描示する方法。
【発明の詳細な説明】
【技術分野】
【０００１】
本発明は自然光によって西瓜に文字や絵などを描示する方法に関する。
【背景技術】
【０００２】
従来、果実に文字や絵などを描示する方法としては、自然光によってリンゴ表皮に文字や絵柄を描く方法が良く知られている。この方法は、収穫前のリンゴ表皮にシールを貼り付け、自然光を照射させて着色することにより、文字や絵柄が描かれる方法であった。一方、リンゴ表皮に文字や絵柄を描く時期が収穫前だけでなくその後にも行え、且つ着色方法だけでなく、脱色方法も可能とした特開２００３−４７４２５などがあった。この方法は、イ）収穫後のリンゴ表皮に文字や絵柄のシールを貼り付ける作業。ロ）前記リンゴに薬品の塗布と高輝度光の照射できる容器に固定する作業。ハ）薬品の塗布と高輝度の照射の組合せ使用と単独使用を施工する作業。以上の作業を行い、リンゴ表皮の着色と脱色を行うことにより、リンゴ表皮に文字や絵柄を描く方法であった。
【特許文献１】特開２００３−４７４２５号公報
【発明の開示】
【発明が解決しようとする課題】
【０００３】
しかしながら、特開２００３−４７４２５はリンゴに対しての方法であり、西瓜に対して行うと、西瓜の果皮が硬くて厚く、且つ色が濃いため脱色を行うことは困難と考えられると共に薬品が使用されているため、自然食品が好まれる傾向にある現在に於いては西瓜に導入することは難しいものである。また自然光によって西瓜に従来のリンゴと同様な方法で文字や絵柄を描くシールを貼り付ける際、交配直後の１ｃｍ未満な子房が収穫時には３０ｃｍ前後で且つ重量が７ｋｇ〜１０ｋｇにも肥大していき、その西瓜の肥大率が極めて大きいため、始めからシールを貼り付けることが困難である。しかも、ある程度肥大後、シールを貼り付けることが考えられるが、西瓜表皮が一旦緑化してしまうと、その後、シールを貼り付け、収穫してもシールのあとが白化しきれず、緑色が残ってしまい、明確な文字や絵などが出ないため、西瓜に文字や絵などを自然光で描示する方法がなかった。このため、西瓜などの肥大率の大きな果実に対して、その表面に文字や絵などが描ける方法が要望されていた。
【０００４】
本発明は表面に文字や絵などが鮮明に且つ確実に描くことが可能となる西瓜に文字や絵などを描示する方法を提供することを目的とする。
【課題を解決するための手段】
【０００５】
本発明は上記要望に応えるために成されたものであり、つまり、収穫予定日の７日〜２５日前（肥大停止時期）まで、西瓜の一部或いは全体に遮光手段を施して生育させ、その後、遮光手段によって形成された遮光部分の表面に、文字や絵などが描示される描示用シートを貼着し、遮光部分を上にして収穫日まで日光を当て、描示用シート以外の遮光部分を緑化させて文字や絵などが描示される方法とする。また遮光手段としてオガクズを用い、オガクズが入れられた円筒状容器には、凹みを作り、摘果後、１株に１個の着果となった西瓜を凹みに入れ、西瓜を横に寝かせ遮光して遮光部分が形成されるようにするか、或いは遮光手段として通気性を有した黒色系の袋を用い、摘果後、１株に１個の着果となった西瓜を黒色系の袋内部に入れ、遮光部分が西瓜全体に形成されるようにしても良い。尚、本発明で言う「黒色系」とは、黒色や茶色など濃い色のものを指し、遮光性の高い色を言う。
【発明の効果】
【０００６】
請求項１のように収穫予定日の７日〜２５日前（肥大停止時期）まで、西瓜（１）の一部或いは全体に遮光手段（Ａ）を施して生育させ、その後、遮光手段（Ａ）によって形成された遮光部分（２）の表面に、文字や絵などが描示される描示用シート（３）を貼着し、遮光部分（２）を上にして収穫日まで日光を当て、描示用シート（３）以外の遮光部分（２）を緑化させて文字や絵などが描示される方法とすることにより、西瓜（１）の表面に、文字や絵などを確実で且つ形良く描示出来るものとなるため、西瓜（１）を贈答用や宣伝用として商品価値の高められたものとなる。
【０００７】
請求項２のように遮光手段（Ａ）がオガクズ（４）であり、該オガクズ（４）が入れられた円筒状容器（５）に凹み（41）を作り、摘果後、１株に１個の着果となった西瓜（１）を凹み（41）に入れ、西瓜（１）を横に寝かせ遮光して遮光部分（２）が形成される方法とすることにより、西瓜（１）の一部に文字や絵などが描示出来るものとなると共に生育に伴ってオガクズ（４）の凹み（41）が変形していくため、西瓜（１）自体の形状が良好な状態で収穫出来るものとなる。
【０００８】
請求項３に示すように遮光手段（Ａ）がオガクズ（４）であり、地面（８）を適宜に掘ってその内部にオガクズ（４）が入れられ、且つその中心に凹み（41）を作り、摘果後、１株に１個の着果となった西瓜（１）を凹み（41）に入れ、西瓜（１）を横に寝かせ遮光して遮光部分（２）が形成される方法とすることにより、生育させる果実の近くで遮光手段（Ａ）を施すことが簡単にでき、且つ果実毎に円筒状容器（５）を用意することが不要となるため、手間と作業費が減少されるものとなる。
【０００９】
請求項４に示すように遮光手段（Ａ）が通気性を有した黒色系の袋（６）であり、該黒色系の袋（６）の内部に、摘果後、１株に１個の着果となった西瓜（１）を入れ、遮光部分（２）が西瓜（１）全体に形成される方法とすることにより、西瓜（１）全体に文字や絵などを自由に描示出来るため、目新しい商品価値が期待出来る西瓜（１）を得ることが可能となる。またオガクズ（４）や円筒状容器（５）が不要であり、管理が簡単なものとなる。
【発明を実施するための最良の形態】
【００１０】
図１は本発明の実施形態の要部作業順序を示す図であり、これに基づいて説明する。先ず始めに西瓜の苗を植え、定植作業を行い、蔓を整理する。そして交配をして着果後、２本の蔓に１個ずつ着果させ、形状の良い方を残し、他の果実を取り除いて、１株に１個の着果とする。摘果作業が完了するまでは従来通りの順序で作業を行えば良い。摘果後、遮光手段（Ａ）としてオガクズ（４）を用い、該オガクズ（４）が入れられた円筒状容器（５）にＶ字状の凹み（41）を作り、１株に１個の着果となった西瓜（１）をＶ字状の凹み（41）に入れ、前記西瓜（１）を横に寝かせ遮光して遮光部分（２）が形成されるようにする［図１（ａ）参照］。この時、前記円筒状容器（５）として段ボールで円筒状に形成したものや発泡スチロールの容器（例えば容器付きインスタントラーメンなどの空き容器）などを利用しても良い。また前記円筒状容器（５）の大きさとしては、高さ１０ｃｍ前後で直径２０ｃｍ〜５０ｃｍ前後のものを使用し、オガクズ（４）は円筒状容器（５）に４分の３程度入れ、図３（ａ）のように中央部にＶ字状の凹み（41）を作ると良い。尚、図３（ｂ）に示すように、地面（８）を適宜に掘って凹部を設けると共に該凹部に沿って防水シート（７）を被覆し、且つその上からオガクズ（４）を入れると共にその中央部にＶ字状の凹み（41）を作っても良い。またオガクズ（４）以外に、籾殻や、砂よりも小さい粒子のもので且つ火山灰土などの軽い土を用いても良い。これは西瓜（１）の肥大に伴って一緒に広がるものであり、この粒子が大きく且つ重いものが使用されると、生育時に下方が広がりきれずに変形した形状になったり、表面に傷ができたり、凹みができたりして形の良い西瓜（１）が得られなくなると共に遮光部分（２）が綺麗に保持出来なくなる。又、前記凹み（41）の形状はＶ字状に限定されるものではなく、西瓜（１）が円筒状容器（５）の中央で安定し、且つ肥大時にも安定出来る形状であれば良い。
【００１１】
Ｖ字状の凹み（41）に入れられ横に寝かせた西瓜（１）は、収穫予定日の７日〜２５日前（肥大停止時期）まで遮光手段（Ａ）を施して生育させる。この時、西瓜（１）が生育するに従って蔓が捩れて西瓜（１）の向きが変わるため、３日に１度の割合で横向きを確認し、常に一定箇所が下方に来るように直し、遮光部分（２）が綺麗に形成できるようにする。又、前記西瓜（１）が肥大するに伴って図１（ｂ）に示す図中の矢印のような力が働き、その力に沿ってオガクズ（４）が抵抗なく広がり、西瓜（１）がある程度大きくなると、凹み（41）がなくなってしまう。次に西瓜（１）の肥大停止時期になった図１（ｃ）の時点で、図中の斜線部である遮光部分（２）を上に向け、該遮光部分（２）の表面に、文字や絵などが切抜かれ且つ遮光性を有した描示用シート（３）をぴったりと貼着する［図１（ｄ）参照］。尚、前記描示用シート（３）を肥大停止前に貼着すると、剥れる恐れがあり、一方、肥大停止時期を過ぎてしまうと、遮光部分（２）に日光を当てても他の周囲の緑色と同じ濃い緑色にならず、区切りが出来てしまうと共に文字や絵などがくっきり描示出来なくなる恐れがある。貼着後、描示用シート（３）のめくれチェックを収穫時期まで行うと共に前記遮光部分（２）を上にして収穫日まで日光に充分当てる。収穫時期になった時点或いは収穫後に描示用シート（３）を剥がすと、描示用シート（３）の部分が白く残り、西瓜（１）の側面に文字や絵などが描示された完成品となるのである。尚、前記収穫予定日は季節によって異なり、一般的な目安としては、着果から収穫適期までの必要積算温度が１０００℃である。例えば２０℃であれば５０日であり、２５℃であるならば４０日となる。また肥大停止時期の目安は、夏場であれば着果から３０日前後、つまり収穫日から７日前〜１２日前であり、秋であれば収穫日から１５日前〜１８日前、冬場であれば１８日前〜２５日前である。又、前記描示用シート（３）としては、ボール紙や厚手の紙或いはアルミ箔などの遮光性のあるものを用いると良く、例えば描示用シート（３）に、紙の厚みが違うものや若干光を通す茶色の紙などを組合せて用いると、遮光率が変化するため、濃淡が付いた文字や絵などを描示出来るものとなる。また前記描示用シート（３）としては、伸縮しない材料を用いると良く、所期の文字や絵などが変形しないようにするのが好ましい。
【００１２】
図２は本発明の別実施形態の要部作業順序を示す図であり、これは西瓜（１）全体に遮光部分（２）を形成させ、西瓜（１）全体に文字や絵柄が描示可能とする方法である。この描示方法について説明すれば、先ず前記実施形態と同様に摘果作業まで行う。摘果後、遮光手段（Ａ）として通気性を有した黒色系の袋（６）だけを用い、１株に１個の着果となった西瓜（１）に黒色系の袋（６）を被せる。そして前記西瓜（１）を地面（８）の上に立たせて遮光し遮光部分（２）が全表面に形成されるようにする［図２（ａ）参照］。この時、直接に畝或いはそれ以外の地面（８）に西瓜（１）を立たせたまま生育させる。その西瓜（１）は、収穫予定日の７日〜２５日前（肥大停止時期）まで遮光手段（Ａ）を施して生育させる［図２（ｂ）参照］。この時、前記実施形態のような３日に１度の割合で横向きを確認し、常に一定箇所が下方に来るように直す作業は不要となる。次に西瓜（１）の肥大停止時期になった時点で、西瓜（１）を黒色系の袋（６）から取り外すと、遮光部分（２）が西瓜（１）全体に形成されているのである。この遮光部分（２）の表面に、文字や絵などが切抜かれた描示用シート（３）を貼着する［図２（ｃ）参照］。そして西瓜（１）全体を収穫日まで満遍なく日光に当て、前記描示用シート（３）以外の前記遮光部分（２）を緑化させ、収穫時に描示用シート（３）を剥がすと、描示用シート（３）部分が文字や絵柄として描示されるのである。尚、前記描示用シート（３）が円形や長方形であり、その中に文字や絵などを切抜き、円形や長方形の中に文字や絵柄を描示させるものを使用しても良い。
【００１３】
図４は本発明方法によって収穫された西瓜を示す図である。図４（ａ）は西瓜（１）表面に文字が描かれたものであり、図４（ｂ）、図４（ｃ）は西瓜（１）表面に図形が描かれたものであり、図４（ｄ）は西瓜（１）表面全体に描かれたものである。このように本発明方法によって得られた西瓜（１）を使えば、インパクトのある宣伝が行えるものとなる。例えばデパートや大型スーパーマーケット等のマークや名前が描示された西瓜（１）を販売する際、店のマークや名前が西瓜（１）の縞模様の略中央に描示され、その大きな文字や図形が淡い黄色で浮び上がって見えるものとなるのである。また本発明の遮光手段（Ａ）としてオガクズ（４）を用いると、交配直後の子房の直径が１ｃｍ未満の状態から収穫時には３０ｃｍ前後で重量が７ｋｇ〜１０ｋｇにも肥大した状態に対応できると共に遮光し続け、肥大に伴う西瓜（１）の表面にスリ傷ができることなく、凹みもできず、形の良い西瓜（１）が得られると共に遮光部分（２）が安定して綺麗に保持出来るものとなる。尚、前記遮光部分（２）に滑らかさがなく、凹凸があると、アルミ箔などの描示用シート（３）を貼着する時に、皴や隙間が出来て綺麗に西瓜（１）の表面に貼れなくなると共に皴や隙間から光が入って文字や絵柄の周囲がぼけたものになってしまう。
【産業上の利用可能性】
【００１４】
本発明は西瓜（１）だけでなく、肥大率の大きな果実に対し、その表面に文字や絵などが自由に描ける方法となり、その表面に文字や絵などが鮮明に且つ確実に描くことが可能な方法となるのである。
【図面の簡単な説明】
【００１５】
【図１】本発明の実施形態の要部作業順序を示す説明図である。
【図２】本発明の別実施形態の要部作業順序を示す説明図である。
【図３】本実施形態の遮光手段の要部を示す説明図である。
【図４】本実施形態により文字や図形が描示された西瓜を示す説明図である。
【符号の説明】
【００１６】
Ａ  遮光手段
１  西瓜
２  遮光部分
３  描示用シート
４  オガクズ
41  凹み
５  円筒状容器
６  黒色系の袋
８  地面
【図１】
2005176607.tif 000003
【図２】
2005176607.tif 000004
【図３】
2005176607.tif 000005
【図４】
2005176607.tif 000006